(57)【要約】【課題】液晶パネル支持ケースを反転させてカメラ筐体の側面側に閉じて収納したときでもレンズカバーを開き状態に確実に維持する。【解決手段】撮影レンズ１５の前方に配置されたレンズカバー１３，１４を開閉するリンク機構３１，３２と、リンク機構と係合しながらレンズカバー閉じ位置とレンズカバー開き位置との間をブラケット４５と一体に回動可能に設けられ、液晶パネル支持ケース２１の開閉動作と連動してレンズカバーを開閉するドライブカム５１と、液晶パネル支持ケースを開いた状態からこの液晶パネル支持ケースを第２ヒンジ軸６２を中心にして反転させたときに、第２ヒンジ軸の回転に伴なって第１ヒンジ軸４４に沿って移動してドライブカムをレンズカバー開き位置に係止させることでレンズカバーを開き状態に維持するストッパ５３とを備えた開閉装置３０を提供する。【選択図】図１３
2010019918.tif 000002
【特許請求の範囲】
【請求項１】
撮影レンズを有するカメラ筐体と、
映像を表示する液晶パネルをそのパネル表示面が前記カメラ筐体と対向した内面に露出するように支持して前記カメラ筐体に取り付けられた液晶パネル支持ケースと、を備えたカメラに適用される開閉装置であって、
前記カメラ筐体の側面側に取り付けられ、第１回動中心まわりに回動する第１ヒンジ軸と、
前記第１ヒンジ軸に回動自在に軸支されたブラケットと、
前記第１回動中心に対して直交する第２回動中心まわりに回動し、且つ、一端側が前記液晶パネル支持ケースの内面と直交した端面に固着され、他端側が前記ブラケットに軸支された第２ヒンジ軸と、
前記ブラケットと一体に前記液晶パネル支持ケースを前記第１ヒンジ軸の第１回動中心まわりに回動させたときに、前記液晶パネル支持ケースを前記カメラ筐体の側面と対向した閉じ位置と、前記カメラ筐体の側面に対して略直交した開き位置とに係止させる液晶パネル支持ケース開閉位置係止手段と、
前記撮影レンズの前方に配置されたレンズカバーを開閉するリンク機構と、
前記リンク機構と係合しながらレンズカバー閉じ位置とレンズカバー開き位置との間を前記ブラケットと一体に回動可能に設けられ、前記液晶パネル支持ケースの開閉動作と連動して前記液晶パネル支持ケースの閉じ位置で前記レンズカバーを閉じる一方、前記液晶パネル支持ケースの開き位置で前記レンズカバーを開くドライブカムと、
前記液晶パネル支持ケースを開いた状態からこの液晶パネル支持ケースを前記第２ヒンジ軸の第２回動中心まわりに反転させたときに、前記第２ヒンジ軸の回動に伴なって前記第１ヒンジ軸の第１回動中心に沿って移動して前記ドライブカムを前記レンズカバー開き位置に係止させるストッパと、
を備えたことを特徴とする開閉装置。
【請求項２】
反転した前記液晶パネル支持ケースを前記第１ヒンジ軸を介して回動させて前記カメラ筐体の側面側に閉じ状態で収納したときに、前記ストッパで前記ドライブカムを前記レンズカバー開き位置に係止させた状態に維持することを特徴とする請求項１記載の開閉装置。
【請求項３】
反転した前記液晶パネル支持ケースを前記カメラ筐体の側面に対して所定の開き角度を持って維持させることを特徴とする請求項１又は請求項２記載の開閉装置。
【請求項４】
前記液晶パネル支持ケース開閉位置係止手段は、
前記第１ヒンジ軸に対して回動角度範囲を規制された状態で固着され、且つ、一の平坦面から突出した第１の台形状カムを有するカム体と、
前記カム体の前記一の平坦面及び前記第１の台形状カムに当接可能な第２の台形状カムを有し、且つ、前記ブラケットと一体に回動したときに前記第２の台形状カムが前記閉じ位置と対応する前記第１の台形状カムの一方の側方又は前記開き位置と対応する前記第１の台形状カムの他方の側方に位置するように前記第１ヒンジ軸に沿って移動するスライダと、
前記スライダを前記カム体側に押圧して、前記ブラケットと一体に前記液晶パネル支持ケースを前記閉じ位置又は前記開き位置に係止させる第１のバネ部材と、
を備えたことを特徴とする請求項１又は請求項２記載の開閉装置。
【請求項５】
反転させた前記液晶パネル支持ケースを開き方向に付勢する第２のバネ部材を備え、
反転した前記液晶パネル支持ケースは、前記カメラ筐体の側面に対して所定の開き角度となる位置で、前記第１のバネ部材に基づく閉方向に付勢する力と前記第２のバネ部材に基づく開方向に付勢する力との釣り合いにより、維持されることを特徴とする請求項４記載の開閉装置。
【発明の詳細な説明】
【技術分野】
【０００１】
本発明は、開閉装置に係り、とくに、撮像装置内の撮像レンズの前方に配置されたレンズカバーの開閉動作を、撮像装置の側面側に取り付けた液晶パネルケースの開閉動作と連動させる開閉装置に関するものである。
【背景技術】
【０００２】
被写体を撮影する撮影レンズをカメラ筐体の前面側に有し、且つ、撮影レンズで撮影した被写体像を記録媒体に記録する記録部をカメラ本体部に内蔵すると共に、撮影レンズで撮影した被写体像又は記録媒体からの再生画像を表示する液晶パネルをカメラ筐体にこの側面と対向させて液晶パネル支持ケース内に取り付けて、液晶パネル支持ケースと一体に液晶パネルを開閉可能及び液晶パネルのパネル表示面が外側を向くように反転可能に支持したビデオカメラやスチルカメラなどの撮像装置において、撮影レンズの前方に配置されてこの撮影レンズを保護するためのレンズカバーを液晶パネル支持ケースの開閉動作と連動させて開閉するビデオカメラのレンズカバー開閉機構がある（例えば、特許文献１参照）。
【０００３】
図１４は一般的なビデオカメラにおいて、液晶パネルの使用状態を説明するための斜視図であり、（ａ）は液晶パネル支持ケースに取り付けた液晶パネルをカメラ筐体の側面と対向させた不使用状態を示し、（ｂ）は液晶パネルを取り付けた液晶パネル支持ケースを上下一対の第１ヒンジ軸を中心に略９０°回動させてパネル表示面を撮影者側に向かせた使用状態を示し、（ｃ）は液晶パネル支持ケースを第２ヒンジ軸を中心に反転させてパネル表示面を外側に向けて露出させた使用状態を示した図である。
【０００４】
図１４（ａ）〜（ｃ）に示した如く、一般的なビデオカメラ１００では、カメラ筐体１０１の前面１０１ａ側に撮影レンズ１０２を保護するためのレンズカバー１０３｛図１４（ａ）のみ図示｝が開閉可能に取り付けられている。
【０００５】
また、液晶パネル１０４をカメラ筐体１０１の側面１０１ｂと対向させて取り付けた液晶パネル支持ケース１０５が上下一対の第１ヒンジ軸１０６，１０７に開閉可能に支持され、且つ、上下一対の第１ヒンジ軸１０６，１０７に直交した第２ヒンジ軸１０８に反転可能に支持されて、この液晶パネル支持ケース１０５の開閉動作と連動してレンズカバー１０３が開閉できるように構成されている。
【０００６】
即ち、上記のように構成された一般的なビデオカメラ１００において、液晶パネル１０４を取り付けた液晶パネル支持ケース１０５が図１４（ａ），（ｂ），（ｃ）に示したように３つの状態を取り得るようになっている。
【０００７】
具体的には、図１４（ａ）に示した如く、液晶パネル１０４をカメラ筐体１０１の側面１０１ｂと対向させて取り付けた液晶パネル支持ケース１０５がカメラ筐体１０１の側面１０１ｂに沿って折り畳まれて閉じているときには、ビデオカメラ１００が不使用状態とされて、撮影レンズ１０２を保護するためのレンズカバー１０３が閉じられている。
【０００８】
次に、図１４（ｂ）に示した如く、図１４（ａ）に示した状態から液晶パネル支持ケース１０５を上下一対の第１ヒンジ軸１０６，１０７を中心にしてカメラ筐体１０１の側面１０１ｂに対して略９０°開くと、この液晶パネル支持ケース１０５の開蓋動作に伴ってレンズカバー１０３（図示せず）が開くので撮影レンズ１０２が露出し、撮影者は撮影レンズ１０２によって撮影した被写体像を液晶パネル１０４で見ながら撮影できる。この際、レンズカバー１０３（図示せず）は、不図示のレンズカバーロック機構により開いた状態で保持されている。
【０００９】
次に、図１４（ｃ）に示した如く、図１４（ｂ）に示した状態から液晶パネル支持ケース１０５を第２ヒンジ軸１０８を中心にして略１８０°反転させた後に、反転した液晶パネル支持ケース１０５を上下一対の第１ヒンジ軸１０６，１０７を中心にカメラ筐体１０１の側面１０１ｂに沿うように折り畳んで閉じると、液晶パネル１０４がカメラ筐体１０１の側面１０１ｂに対して外側方向を向くので、周囲の人が液晶パネル１０４に表示された映像を見ることができる。この場合でも、レンズカバー１０３（図示せず）は、不図示のレンズカバーロック機構により開いた状態で保持されている。
【特許文献１】特開平１０−３０１１６１号公報
【発明の開示】
【発明が解決しようとする課題】
【００１０】
ところで、上記した一般的なビデオカメラ１０１において、カメラ筐体１０１の側面１０１ｂ側に支持した液晶パネル支持ケース１０５の開閉動作と連動させてレンズカバー１０３を開閉するレンズカバー開閉装置（図示せず）を上記した特許文献１の技術的思想に基づいて設けた場合に、図１４（ｂ），（ｃ）の状態で、レンズカバー１０３を不図示のレンズカバーロック機構により開いた状態で保持する必要がある。
【００１１】
この場合に、不図示のレンズカバーロック機構をロックしたり、又は、ロック解除するために、上記した特許文献１では樹脂製の液晶パネル支持ケース１０５の外面の下方に押圧片（図示せず）が一体的に突出形成されているが、この押圧片は樹脂製であるので破損し易く、押圧片が破損すると、液晶パネル支持ケース１０５の開閉動作と連動させてレンズカバー１０３を開閉できなくなるので、重大な問題が発生する可能性がある。
【００１２】
また、液晶パネル支持ケース１０５側にある押圧片が、液晶パネル支持ケース１０５の開閉によってカメラ筐体１０１側に設けたレンズカバー開閉用のリンク機構を押す構造であるため、リンク機構がある部分のカメラ筐体１０１に押圧片を挿通させるための孔（図示せず）を設けなくてはならないため、この孔から埃や砂の進入を許し、ビデオカメラ１０１が作動不良になるなどの問題点が生じる。
【００１３】
また、カメラが市場要望に対応して薄型化されるに伴い、机上などに載置した際の安定性が充分ではなくなることが懸念される。
【００１４】
即ち、カメラ筐体内に設けた撮影レンズの前方にレンズカバーを配置し、且つ、液晶パネルをカメラ筐体の側面と対向させて取り付けた液晶パネル支持ケースを開閉可能及び反転可能に支持した際に、撮影レンズを保護するためのレンズカバーを液晶パネル支持ケースの開閉動作と連動させて信頼性良く開閉でき、且つ、液晶パネル支持ケースを反転させてカメラ筐体の側面側に閉じるように回動させたときでも、安定した姿勢で机上などに載置できるような、使い勝手の良好な開閉装置が望まれている。
【課題を解決するための手段】
【００１５】
本発明は上記課題に鑑みてなされたものであり、第１の発明は、撮影レンズを有するカメラ筐体と、
映像を表示する液晶パネルをそのパネル表示面が前記カメラ筐体と対向した内面に露出するように支持して前記カメラ筐体に取り付けられた液晶パネル支持ケースと、を備えたカメラに適用される開閉装置であって、
前記カメラ筐体の側面側に取り付けられ、第１回動中心まわりに回動する第１ヒンジ軸と、
前記第１ヒンジ軸に回動自在に軸支されたブラケットと、
前記第１回動中心に対して直交する第２回動中心まわりに回動し、且つ、一端側が前記液晶パネル支持ケースの内面と直交した端面に固着され、他端側が前記ブラケットに軸支された第２ヒンジ軸と、
前記ブラケットと一体に前記液晶パネル支持ケースを前記第１ヒンジ軸の第１回動中心まわりに回動させたときに、前記液晶パネル支持ケースを前記カメラ筐体の側面と対向した閉じ位置と、前記カメラ筐体の側面に対して略直交した開き位置とに係止させる液晶パネル支持ケース開閉位置係止手段と、
前記撮影レンズの前方に配置されたレンズカバーを開閉するリンク機構と、
前記リンク機構と係合しながらレンズカバー閉じ位置とレンズカバー開き位置との間を前記ブラケットと一体に回動可能に設けられ、前記液晶パネル支持ケースの開閉動作と連動して前記液晶パネル支持ケースの閉じ位置で前記レンズカバーを閉じる一方、前記液晶パネル支持ケースの開き位置で前記レンズカバーを開くドライブカムと、
前記液晶パネル支持ケースを開いた状態からこの液晶パネル支持ケースを前記第２ヒンジ軸の第２回動中心まわりに反転させたときに、前記第２ヒンジ軸の回動に伴なって前記第１ヒンジ軸の第１回動中心に沿って移動して前記ドライブカムを前記レンズカバー開き位置に係止させるストッパと、
を備えたことを特徴とする開閉装置である。
【００１６】
また、第２の発明は、上記した第１の発明の開閉装置において、
反転した前記液晶パネル支持ケースを前記第１ヒンジ軸を介して回動させて前記カメラ筐体の側面側に閉じ状態で収納したときに、前記ストッパで前記ドライブカムを前記レンズカバー開き位置に係止させた状態に維持することを特徴とする開閉装置である。
【００１７】
また、第３の発明は、上記した第１又は第２の発明の開閉装置において、
反転した前記液晶パネル支持ケースを前記カメラ筐体の側面に対して所定の開き角度を持って維持させることを特徴とする開閉装置である。
【００１８】
また、第４の発明は、上記した第１又は第２の発明の開閉装置において、
前記液晶パネル支持ケース開閉位置係止手段は、
前記第１ヒンジ軸に対して回動角度範囲を規制された状態で固着され、且つ、一の平坦面から突出した第１の台形状カムを有するカム体と、
前記カム体の前記一の平坦面及び前記第１の台形状カムに当接可能な第２の台形状カムを有し、且つ、前記ブラケットと一体に回動したときに前記第２の台形状カムが前記閉じ位置と対応する前記第１の台形状カムの一方の側方又は前記開き位置と対応する前記第１の台形状カムの他方の側方に位置するように前記第１ヒンジ軸に沿って移動するスライダと、
前記スライダを前記カム体側に押圧して、前記ブラケットと一体に前記液晶パネル支持ケースを前記閉じ位置又は前記開き位置に係止させる第１のバネ部材と、
を備えたことを特徴とする開閉装置である。
【００１９】
更に、第５の発明は、上記した第４の発明の開閉装置において、
反転させた前記液晶パネル支持ケースを開き方向に付勢する第２のバネ部材を備え、
反転した前記液晶パネル支持ケースは、前記カメラ筐体の側面に対して所定の開き角度となる位置で、前記第１のバネ部材に基づく閉方向に付勢する力と前記第２のバネ部材に基づく開方向に付勢する力との釣り合いにより、維持されることを特徴とする開閉装置である。
【発明の効果】
【００２０】
上記した第１の発明の開閉装置によると、撮影レンズの前方に配置したレンズカバーを液晶パネル支持ケースの開閉動作と連動して開閉するように構成した際に、とくに、レンズカバーを開閉するリンク機構と、リンク機構と係合しながらレンズカバー閉じ位置とレンズカバー開き位置との間をブラケットと一体に回動可能に設けられ、液晶パネル支持ケースの開閉動作と連動して液晶パネル支持ケースの閉じ位置でレンズカバーを閉じる一方、液晶パネル支持ケースの開き位置でレンズカバーを開くドライブカムと、液晶パネル支持ケースを開いた状態からこの液晶パネル支持ケースを第２ヒンジ軸の第２回動中心まわりに反転させたときに、第２ヒンジ軸の回動に伴なって第１ヒンジ軸の第１回動中心に沿って移動してドライブカムをレンズカバー開き位置に係止させるストッパとを備えているために、液晶パネル支持ケースを反転させたときにレンズカバーを開き状態に信頼性良く確実に維持することができる。
【００２１】
また、上記した第２の発明の開閉装置によると、上記した第１の発明の効果が得られる他に、反転した液晶パネル支持ケースをカメラ筐体の側面側に閉じ状態で収納したときに、ストッパでドライブカムをレンズカバー開き位置に係止させた状態に維持しているので、例えばこの開閉装置を適用したビデオカメラを店頭や室内などに設置したときでも反転した液晶パネルに撮影レンズで撮影した被写体像を表示することができる。
【００２２】
また、上記した第３の発明の開閉装置によると、上記した第１又は第２の発明の効果が得られる他に、反転した前記液晶パネル支持ケースをカメラ筐体の側面に対して所定の開き角度を持って維持させているので、例えばこの開閉装置を適用したビデオカメラの小型化進んでカメラ筐体が薄型化された場合に、カメラ筐体の底面中で側面と直交する方向の厚み寸法が薄くなっても、このビデオカメラを店頭や室内などに設置したときに、カメラ筐体の側面に対して所定の開き角度を持って維持させた液晶パネル支持ケースによりビデオカメラが倒れることなく、反転した液晶パネルに撮影レンズで撮影した映像を周囲の人に見せることができるので、展示効果を高めることができる。
【００２３】
また、上記した第４の発明の開閉装置によると、上記した第１又は第２の発明の効果が得られる他に、カム体とスライダと第１のバネ部材とを備えた液晶パネル支持ケース開閉位置係止手段により、液晶パネル支持ケースをカメラ筐体の側面と対向した閉じ位置又はカメラ筐体の側面に対して略直交した開き位置とに確実に係止させることができる。
【００２４】
更に、上記した第５の発明の開閉装置によると、上記した第４の発明の効果が得られる他に、反転させた液晶パネル支持ケースを開き方向に付勢する第２のバネ部材を備えた際、反転した液晶パネル支持ケースは、カメラ筐体の側面に対して所定の開き角度となる位置で、第１のバネ部材に基づく閉方向に付勢する力と第２のバネ部材に基づく開方向に付勢する力との釣り合いにより、維持されるので、例えばこの開閉装置を適用したビデオカメラの小型化進んでカメラ筐体が薄型化された場合に、カメラ筐体の底面中で側面と直交する方向の厚み寸法が薄くなっても、このビデオカメラを店頭や室内などに設置したときに、カメラ筐体の側面に対して所定の開き角度を持って維持させた液晶パネル支持ケースによりビデオカメラが倒れることなく、反転した液晶パネルに撮影レンズで撮影した映像を周囲の人に見せることができるので、展示効果を高めることができる。
【発明を実施するための最良の形態】
【００２５】
以下に本発明に係る開閉装置の一実施例について図１〜図１３を参照して詳細に説明する。
【実施例】
【００２６】
図１は本発明に係る開閉装置の実施例を適用したビデオカメラを示した外観図、
図２は本発明に係る開閉装置の実施例を適用したビデオカメラにおいて、液晶パネルの使用状態を説明するための斜視図であり、（ａ）は液晶パネル支持ケースに取り付けた液晶パネルをカメラ筐体の側面と対向させた不使用状態を示し、（ｂ）は液晶パネルを取り付けた液晶パネル支持ケースを上下一対の第１ヒンジ軸を中心に略９０°回動させてパネル表示面を撮影者側に向かせた使用状態を示し、（ｃ）は液晶パネル支持ケースを第２ヒンジ軸を中心に反転させてパネル表示面を外側に向けて露出させた使用状態を示した図である。
【００２７】
図１に示した如く、実施例の開閉装置３０を適用したビデオカメラ１では、カメラ本体部１０の外装となるカメラ筐体１１が樹脂材を用いて略箱状に形成されており、このカメラ筐体１１の前面１１ａ側にレンズ鏡筒１２が被写体側に向かって突出形成されている。
【００２８】
この際、以下の説明中における上下関係は、カメラ筐体１１中で不図示のテーブルなどに載置可能な底面１１ｄ側を下側とし、且つ、天面１１ｅ側を上側とした場合に対応させて記載するものとする。
【００２９】
尚、カメラ筐体１１とレンズ鏡筒１２とを樹脂材により一体形成してカメラ筐体としても良い。
【００３０】
また、レンズ鏡筒１２の前面１２ａよりも一段凹んだ前面側凹部１２ｂ内に略矩形状の光通過孔１２ｃが設けられており、この光通過孔１２ｃ内に一対のレンズカバー１３，１４が開閉自在に設けられていると共に、これら一対のレンズカバー１３，１４の後方に被写体を撮影するための撮影レンズ１５がレンズホルダ１６（図３のみ図示）を介して取り付けられ、更に、この撮影レンズ１５の光軸Ｋに沿った後方に撮影レンズ１５による被写体像を光電変換して映像信号を出力する撮像素子１７が設けられている。
【００３１】
また、カメラ本体部１０内には、撮像素子１７からの映像信号を磁気テープ，光ディスク又は固体メモリなどの不図示の記録媒体に記録したり、また、記録媒体上に記録された映像を再生する記録再生部１８が内蔵されている。
【００３２】
また、カメラ筐体１１の後面１１ｂ側に、被写体像を光学的に覗くためのビューファインダー部１９が撮影者側に向かって突出している。
【００３３】
また、カメラ筐体１１の側面１１ｃ側に液晶パネル部２０が設けられている。この液晶パネル部２０は、液晶パネル支持ケース２１と、液晶パネル支持ケース２１の一側面である内面２１ａにパネル表示面２２ｈがカメラ筐体１１の側面１１ｃと対向して露出して取り付けられた液晶パネル２２とを有している。
【００３４】
この際、液晶パネル支持ケース２１の内面２１ａは不図示の開口枠が矩形状に形成されており、この矩形枠内に液晶パネル２２のパネル表示面２２ｈが設けられているものである。
【００３５】
そして、液晶パネル支持ケース２１と一体に液晶パネル２２が、本発明に係る開閉装置３０内で撮影レンズ１５の光軸Ｋと直交する第１回動中心ＣＬ１まわりに回動する上下一対の第１ヒンジ軸４３，４４によりカメラ筐体１１に対して開閉可能に支持されていると共に、第１回動中心ＣＬ１と直交する第２回動中心ＣＬ２まわりに回動する第２ヒンジ軸６２に反転可能に支持されている。
【００３６】
また、上記した本発明に係る開閉装置３０は、カメラ筐体１１の側面１１ｃ側（レンズ鏡筒１２の側面１２ｄ側）と、液晶パネル支持ケース２１の内面２１ａと直交した端面（以下、左側面と記す）２１ｂ側とに跨って設けられている。
【００３７】
この開閉装置３０は、撮影レンズ１５の光軸Ｋ上でこの撮影レンズ１５の前方に配置されて撮影レンズ１５を保護するための一対のレンズカバー１３，１４を液晶パネル支持ケース２１の開閉動作と連動させて開閉する機能を備えているが、この開閉装置３０については後で詳述する。
【００３８】
そして、上記したビデオカメラ１においても、従来例と同様に、液晶パネル２２のパネル表示面２２ｈをカメラ筐体１１の側面１１ｃと対向するように取り付けた液晶パネル支持ケース２１が図２（ａ），（ｂ），（ｃ）に示したように３つの状態を取り得るようになっている。
【００３９】
即ち、図２（ａ）に示した如く、本発明に係る開閉装置３０を適用したビデオカメラ１において、液晶パネル支持ケース２１は、開閉装置３０内で撮影レンズ１５（図１）の光軸Ｋと直交する第１回動中心ＣＬ１まわりに回動する上下一対の第１ヒンジ軸４３，４４及び第１回動中心ＣＬ１と直交する第２回動中心ＣＬ２まわりに回動する第２ヒンジ軸６２に支持されている。
【００４０】
そして、液晶パネル支持ケース２１がカメラ筐体１１の側面１１ｃに沿うように折り畳まれて閉じているときには、液晶パネル支持ケース２１の内面２１ａに取り付けた液晶パネル２２のパネル表示面２２ｈがカメラ筐体１１の側面１１ｃと対向しており、この状態でビデオカメラ１が不使用状態とされているので、撮影レンズ１５（図１）の光軸Ｋ上でこの撮影レンズ１５の前方に配置した一対のレンズカバー１３，１４は閉じている。
【００４１】
次に、図２（ｂ）に示した如く、図２（ａ）に示した状態から液晶パネル支持ケース２をカメラ筐体１１の側面１１ｃに対して開閉装置３０内に設けた上下一対の第１ヒンジ軸４３，４４を中心にして矢印Ｄ１方向に略９０°開くと、この液晶パネル支持ケース２１の開蓋動作に伴って一対のレンズカバー１３，１４が矢印ＬＣ１方向に退避して光通過孔１２ｃが開くので撮影レンズ１５が露出し、撮影者は撮影レンズ１５によって撮影した被写体像を液晶パネル２２のパネル表示面２２ｈで見ることができ、且つ、被写体像の撮影もできる。この場合に、一対のレンズカバー１３，１４は、開閉装置３０により光通過孔１２ｃを開いた状態に維持している。
【００４２】
次に、図２（ｂ）に示した状態から液晶パネル支持ケース２を開閉装置３０内に設けた第２ヒンジ軸６２を中心にして矢印Ｄ３方向に回動して略１８０°反転させ、図２（ｃ）に示した如く、液晶パネル２２のパネル表示面２２ｈに表示された映像も電気的に反転させた後に、反転した液晶パネル支持ケース２１を開閉装置３０内に設けた上下一対の第１ヒンジ軸４３，４４を中心にカメラ筐体１１の側面１１ｃに沿うように矢印Ｄ２方向に回動して閉じると、液晶パネル２２のパネル表示面２２ｈがカメラ筐体１１の側面１１ｃに対して外側方向を向くので、周囲の人が液晶パネル２２に表示された映像を見ることができる。この場合でも、一対のレンズカバー１３，１４は、矢印ＬＣ１方向に退避して光通過孔１２ｃを開いた状態に維持している。
【００４３】
ここで、開閉装置３０の構成について、図３及び図４を用いて詳述する。
【００４４】
図３は開閉装置の実施例を分解して示した分解斜視図、
図４は図３に示したコ字状ブラケット４５内に各部材を組みつけた状態を拡大して示した斜視図である。
【００４５】
図３に示した如く、実施例の開閉装置３０において、樹脂製のレンズ鏡筒１２（図１）の前枠１２Ｍは前面１２ａよりも一段凹んだ前面側凹部１２ｂ内に光通過孔１２ｃが設けられており、この前枠１２Ｍの後面１２ｅ側で且つ樹脂製のレンズホルダ１６の円筒枠１６ａに取り付けた撮影レンズ１５の前方にこの撮影レンズ１５を保護するための一対のレンズカバー１３，１４が配置されている。
【００４６】
上記した一対のレンズカバー１３，１４は樹脂材を用いて形成されており、一対のレンズカバー１３，１４のうちで、一方のレンズカバー１３の下方に形成したガイド溝１３ａ内に他方のレンズカバー１４の下方前方に突出形成したピン１４ａが嵌合し、且つ、両カバー１３，１４の軸孔１３ｂ，１４ｂ同士が重なり合ってレンズホルダ１６の前面側方に突出形成したレンズカバー支持軸１６ｂに回動可能に支持されている。
【００４７】
また、他方のレンズカバー１４の下方裏面に突出形成したピン１４ｃがリンクアーム３１の一端側に横設した丸孔３１ａ内に嵌合し、且つ、リンクアーム３１の他端側に垂設した丸孔３１ｂ内に下記するドライブレバー３２のピン３２ｄが嵌合している。
【００４８】
上記したドライブレバー３２は、樹脂材を用いて水平板３２ａ上に軸部３２ｂ及びネジリバネ掛止部３２ｃ並びに階段状のピン３２ｄが上方に向かって設けられており、且つ、水平板３２ａの外周側面に沿って後述するドライブカム５１の扇状カム５１ａが当接するカム溝３２ｅが形成されている。
【００４９】
そして、ドライブレバー３２の軸部３２ｂにネジリバネ３３を嵌入させた状態でこの軸部３２ｂがレンズホルダ１６の下方に形成した支持台１６ｃ上に軸支されている。この際、ネジリバネ３３は、一端をドライブレバー３２のネジリバネ掛止部３２ｃに掛止させ、且つ、他端をレンズホルダ１６の支持台１６ｃ側に掛止させて、一対のレンズカバー１３，１４を閉じ方向（被写体側から見て時計回り方向）に付勢している。
【００５０】
更に、レンズホルダ１６の前方に一対のレンズカバー１３，１４を回動可能に軸支した状態でこのレンズホルダ１６の取付孔１６ｄが前枠１２Ｍの後面１２ｅに突出形成した取付用ボス１２ｆに不図示のネジを用いて固着されていると共に、レンズホルダ１６の支持台１６ｃ側がカメラ筐体１１（図１）内に取り付けられている。
【００５１】
上記からレンズホルダ１６に軸支した一対のレンズカバー１３，１４と、リンクアーム３１と、ドライブレバー３２とで一対のレンズカバー１３，１４を開閉するためのリンク機構を構成しているが、一対のレンズカバー１３，１４の開閉動作については後で述べる。
【００５２】
次に、前枠１２Ｍの側面１２ｄ側で互に間隔を離した上下に板金材を用いて折り曲げ形成した第１ヒンジ軸支持ブラケット４１，４２が不図示のネジにより取り付けられている。
【００５３】
また、上下の第１ヒンジ軸支持ブラケット４１，４２に形成した丸孔４１ａ，４２ａ内に、上下一対の第１ヒンジ軸４３，４４が下記するコ字状ブラケット４５の内側から天板４５ａ及び底板４５ｂに形成した丸孔４５ａ1及び丸孔４５ｂ１を通って不図示のネジを用いて固着されているので、上下の第１ヒンジ軸支持ブラケット４１，４２間にコ字状ブラケット４５が上下一対の第１ヒンジ軸４３，４４を中心にして回動可能に支持されている。この際、上記した上下一対の第１ヒンジ軸４３，４４は、撮像レンズ１５の光軸Ｋと直交する第１回動中心ＣＬ１まわりに回動するように設けられている。
【００５４】
上記したコ字状ブラケット４５は、板金材を用いて長手方向両端の天板４５ａ及び底板４５ｂがコ字状に折り曲げられ、且つ、天板４５ａと底板４５ｂとの間に挟まれた長尺な側板４５ｃ〜４５ｅがコ字状断面となるように折り曲げられており、この際、コ字状ブラケット４５の側板４５ｃは液晶パネル支持ケース２１の左側面（端面）２１ｂと対向し、且つ、コ字状ブラケット４５の側板４５ｅは側板４５ｃと対向している。
【００５５】
また、コ字状ブラケット４５の側板４５ｃの中央に丸孔４５ｃ１が穿設され、且つ、側板４５ｃと対向した側板４５ｅ中に第１回動中心ＣＬ１に沿って延在する鉛直ガイド溝４５ｅ１が形成されていると共に、長手方向の中央よりも少し上方に側板４５ｅと直交して圧縮バネ掛止板４５ｆが曲げ形成されている。
【００５６】
また、コ字状ブラケット４５の天板４５ａと圧縮バネ掛止板４５ｆとの間では、上側の第１ヒンジ軸４３に形成した丸棒状の軸部４３ａに、平坦な下面４６ａから台形状凸部４６ｂを突出形成した円筒状のカム体４６と、平坦な上面４７ａから台形状凸部４７ｂを突出形成し且つコ字状ブラケット４５の内側面に当接可能に形成した直方状のスライダ４７と、圧縮バネ４８とが上から下に向かって順に同軸的に取り付けられている。
【００５７】
一方、コ字状ブラケット４５の底板４５ｂと圧縮バネ掛止板４５ｆとの間では、下側の第１ヒンジ軸４４に形成した角棒状の軸部４４ａに、扇状カム５１ａ及び係止溝５１ｂ並びにネジリバネ掛止部５１ｃを形成したドライブカム５１と、ネジリバネ５２と、丸孔５３ａを側面に形成し且つ係止片５３ｂを下方に形成したストッパ５３とが下から上に向かって順に同軸的に取り付けられている。
【００５８】
また、液晶パネル部２０側において、液晶パネル２２のパネル表示面２２ｂを一側面である内面２１ａに露出させて取り付けた液晶パネル支持ケース２１の左側面２１ｂに第２ヒンジ軸支持ブラケット６１が不図示のネジにより固着されており、且つ、この第２ヒンジ軸支持ブラケット６１に第２ヒンジ軸６２の一端側が固着されている。
【００５９】
この際、第２ヒンジ軸６２は、上記した上下一対の第１ヒンジ軸４３，４４の第１回動中心ＣＬ１と直交した第２回動中心ＣＬ２まわりに回動可能になっており、第２ヒンジ軸６２の一端側と反対の他端側がコ字状ブラケット４５の側板４５ｃの中央に穿設した丸孔４５ｃ１内を通過して、この第２ヒンジ軸６２の他端に板バネ６３を介して金属製カシメ体６４がカシメにより固着されていると共に、この金属製カシメ体６４にアーム支持体６５が一体的に固着されていることで、液晶パネル支持ケース２１がコ字状ブラケット４５に対して第２ヒンジ軸６２を中心にして反転可能に支持されている。
【００６０】
更に、アーム支持体６５には、アーム６６の一端側がピン６７を介して回動可能に支持されていると共に、アーム６６の他端側に固着させたピン６８の両側が下側の第１ヒンジ軸４４に取り付けたストッパ５３の側面に形成した丸孔５３ａとコ字状ブラケット４５の側板４５ｅの下方に形成した鉛直ガイド溝４５ｅ１とにそれぞれ係合している。
【００６１】
そして、上記した各部材をコ字状ブラケット４５内に組み立てると、開閉装置３０は図４に示した状態となる。
【００６２】
そして、この図４に拡大して示した如く、上側の第１ヒンジ軸支持ブラケット４１に固着した上側の第１ヒンジ軸４３にカム体４６がこの第１ヒンジ軸４３に形成した回り止め部４３ｂによって回動角度範囲を規制された状態で取り付けられ、且つ、カム体４６の下方に第１ヒンジ軸４３に嵌め込んだスライダ４７がコ字状ブラケット４５の圧縮バネ掛止部４５ｆ上に設けた圧縮バネ４８に押されてカム体４６に当接している。
【００６３】
この際、上記したカム体４６とスライダ４７と圧縮バネ４８とは、液晶パネル支持ケース２１をカメラ筐体１１（図１，図２）の側面１１ｃと対向した閉じ位置又はカメラ筐体１１の側面１１ｃに対して略直交した開き位置とに係止させる液晶パネル支持ケース開閉位置係止手段となっている。
【００６４】
即ち、上記したカム体４６は、樹脂材を用いて略円筒状に形成され、その平坦な下端面（平坦面）４６ａの周縁に沿って台形状凸部４６ｂが下方に向かって突出形成されており、一方、上記したスライダ４７は、樹脂材を用いて略直方形状に形成された平坦な上端面（平坦面）４７ａの周縁に沿って台形状凸部４７ｂが上方に向かって突出形成されている。
【００６５】
この際、カム体４６の台形状凸部４６ｂ及びスライダ４７の台形状凸部４７ｂの図示左右の傾斜面は、両者４６ｂ，４７ｂ同士が互に対向して摺接できる傾斜角度に形成されている。
【００６６】
そして、カム体４６の下面４６ａとスライダ４７の台形状凸部４７ｂとが圧縮バネ４８の付勢力により凹凸嵌合可能になっていると共に、液晶パネル支持ケース２１の開閉動作に伴なってコ字状ブラケット４５内で側板４５ｃに当接しているスライダ４７が上側の第１ヒンジ軸４３を中心に回動しながらこの第１ヒンジ軸４３に沿って矢印Ｘ１，Ｘ２方向に移動可能になっており、カム体４６とスライダ４７との嵌合状態と、下側の第１ヒンジ軸４４に取り付けたドライブカム５１の回動状態とに応じて液晶パネル支持ケース２１の開閉動作及び一対のレンズカバー１３，１４の開閉動作が行なわれるがこれについては後で述べる。
【００６７】
一方、液晶パネル支持ケース２１の左側面２１ｂ側に一端側を固着した第２ヒンジ軸６２の他端側には、板バネ６３及び金属製カシメ体６４を介してアーム支持体６５が一体的に固着されている。
【００６８】
また、アーム支持体６５にアーム６６の一端側がピン６７を介して軸支されている。更に、アーム６６の他端側に取り付けたピン６８の両側が下側の第１ヒンジ軸４４に取り付けたストッパ５３の側面に形成した丸孔５３ａ（図３）とコ字状ブラケット４５の側板４５ｅの下方に形成した鉛直ガイド溝４５ｅ１とにそれぞれ係合している。
【００６９】
このため、液晶パネル支持ケース２１に固着された第２ヒンジ軸６２がコ字状ブラケット４５に対して回転して液晶パネル支持ケース２１が反転する動作に伴なって、この第２ヒンジ軸６２と一体にアーム支持体６５が回転すると、アーム支持体６５に軸支したアーム６６上のピン６８が鉛直ガイド溝４５ｅ１に沿って移動し、且つ、アーム６６に係合したストッパ５３が下側の第１ヒンジ軸４４の第１回動中心ＣＬに沿って矢印Ｘ１，Ｘ２方向に移動可能になっている。
【００７０】
そして、ストッパ５３が下側の第１ヒンジ軸４４の第１回動中心ＣＬに沿って矢印Ｘ１方向に下動したときに、ストッパ５３の下方に突出形成した係止片５３ｂが下側の第１ヒンジ軸４４に取り付けたドライブカム５１の係止溝５１ｂ内に進入可能になっている。
【００７１】
この際、ストッパ５３とドライブカム５１との間に介装されたネジリバネ５２は、一端側がコ字状ブラケット４５の側板４５ｅの下方に形成したネジリバネ掛止部４５ｅ２に掛止され、且つ、他端側がドライブカム５１の上面に突出形成したネジリバネ掛止部５１ｃ（図３）に掛止されている。このネジリバネ５２は反転された液晶パネル支持ケース２１を開き方向に付勢する機能を備えている。尚、第２ヒンジ軸６２による液晶パネル支持ケース２１の反転動作については後で述べる。
【００７２】
次に、液晶パネル支持ケース２１の開閉動作と連動して一対のレンズカバー１３，１４を開閉する開閉装置３０の動作について、図５〜図１３を用いて詳述する。
【００７３】
図５（ａ），（ｂ），（ｃ）は本発明に係る開閉装置において、液晶パネル支持ケースがカメラ筐体の側面に沿うように折り畳まれて閉じている液晶パネル通常収納状態を示した左側面図，正面図．下面図、
図６（ａ），（ｂ）は本発明に係る開閉装置において、液晶パネル通常収納状態時に一対のレンズカバーが閉じている状態を示した斜視図，正面図、
図７（ａ）〜（ｅ）は本発明に係る開閉装置において、液晶パネル支持ケースを閉じた状態から開いた状態に回動させる動作を模式的に示した側面図及び下面図、
図８（ａ），（ｂ），（ｃ）は本発明に係る開閉装置において、液晶パネル支持ケースがカメラ筐体の側面に対して略直交して開いた液晶パネル開蓋状態を示した左側面図，正面図．下面図、
図９（ａ），（ｂ）は本発明に係る開閉装置において、液晶パネル開蓋状態時に一対のレンズカバーが開いている状態を示した斜視図，正面図、
図１０（ａ），（ｂ），（ｃ）は本発明に係る開閉装置において、液晶パネル支持ケースがカメラ筐体の側面に対して略直交して開いた後に、液晶パネル支持ケースを反転させた液晶パネル反転状態を示した左側面図，正面図．下面図、
図１１（ａ）〜（ｅ）は本発明に係る開閉装置において、液晶パネル支持ケースを反転した後にこの液晶パネル支持ケースをカメラ筐体の側面側に収納した状態に回動させる動作を模式的に示した側面図及び下面図、
図１２（ａ），（ｂ），（ｃ）は本発明に係る開閉装置において、液晶パネル支持ケースを反転した後にこの液晶パネル支持ケースがカメラ筐体の側面側に対して所定の開き角度を持って維持された液晶パネル反転収納状態を示した左側面図，正面図．下面図、
図１３（ａ），（ｂ）は本発明に係る開閉装置において、液晶パネル反転収納状態時に一対のレンズカバーが開いている状態を示した斜視図，正面図である。
【００７４】
まず、図５（ａ）〜（ｃ）に示した如く、液晶パネル部２０側では、液晶パネル支持ケース２１に、この内面２１ａにパネル表示面２２ｈが露出するように取り付けられた液晶パネル２２がカメラ筐体１１の側面１１ｃと対向している。この状態のときに液晶パネル支持ケース２１がカメラ筐体１１の側面１１ｃに沿うように閉じて収納されている液晶パネル通常収納状態である。このとき、ビデオカメラ１（図１）は不使用状態であり、所謂、一般的な初期状態である。
【００７５】
一方、開閉装置３０側では、上下の第１ヒンジ軸支持ブラケット４１，４２に固着した上下一対の第１ヒンジ軸４３，４４にコ字状ブラケット４５が軸支されている。
【００７６】
そして、上側の第１ヒンジ軸４３に取り付けたカム体４６とスライダ４７とが圧縮バネ４８に押されながら凹凸嵌合する際に、上側の第１ヒンジ軸４３に対して回動角度範囲を規制されているカム体４６の下面４６ａから突出した台形状凸部４６ｂの右側にスライダ４７の上面４７ａから突出した台形状凸部４７ｂが摺接した状態で位置し、且つ、カム体４６の下面４６ａの右方にスライダ４７の台形状凸部４７ｂが当接する一方、カム体４６の台形状凸部４６ｂの左側にスライダ４７の上面４７ａが対向している。
【００７７】
従って、カム体４６とスライダ４７と圧縮バネ４８とによる液晶パネル支持ケース開閉位置係止手段により、スライダ４７の台形状凸部４７ｂがカム体４６の台形状凸部４６ｂの右側方に位置することで、液晶パネル支持ケース２１が閉じ状態に係止（ロック）されることになる。
【００７８】
また、下側の第１ヒンジ軸４４には、ドライブカム５１がコ字状ブラケット４５と一体に回動可能に取り付けられており、このドライブカム５１に形成した扇状カム５１ａがコ字状ブラケット４５の側板４５ｅの左方に突出してレンズカバー閉じ位置に至り、この扇状カム５１ａがレンズホルダ１６の支持台１６ｃ（図３）上に軸支されたドライブレバー３２のカム溝３２ｅ内に進入している。
【００７９】
ここで、図６（ａ），（ｂ）に示した如く、一方のレンズカバー１３と他方のレンズカバー１４との係合（１３ａ，１４ａ）と、他方のレンズカバー１４とリンクアーム３１との係合（１４ｃ，３１ａ）と、リンクアーム３１とドライブレバー３２との係合（３１ｂ，３２ｄ）とによりリンク機構を構成しているので、レンズカバー閉じ位置に至っているドライブカム５１の扇状カム５１ａがドライブレバー３２のカム溝３２ｅ内に進入しているときに、ドライブレバー３２にリンクアーム３１を介して係合した他方のレンズカバー１４に形成したピン１４ａが一方のレンズカバー１３に形成したガイド溝１３ａ内の上端側に位置するので、一対のレンズカバー１３，１４はネジリバネ３３（図３）の付勢力により矢印ＬＣ２方向に回動して光通過孔１２ｃ（図１〜図３）を閉じている。
【００８０】
これにより、液晶パネル支持ケース２１が閉じ位置に至ってロックされているときに、一対のレンズカバー１３，１４が閉じられて撮影レンズ１５が覆われるので、ビデオカメラ１（図１）で被写体を撮影することはできない。
【００８１】
この際、図５及び図６に示したように、第２ヒンジ軸６２を固着した液晶パネル支持ケース２１はコ字状ブラケット４５に対して回転しないので、第２ヒンジ軸６２に固着したアーム支持体６５も回転しない。これに伴なって、アーム支持体６５に軸支したアーム６６は上下動せず、このアーム６６に係合したストッパ５３はドライブカム５１の上方で待機している。
【００８２】
一方、カメラ筐体１１の側面１１ｃに沿って液晶パネル支持ケース２１が閉じている状態からこの液晶パネル支持ケース２１を開く場合には、図７（ａ）〜（ｅ）に示した動作が順に行なわれる。
【００８３】
即ち、図７（ａ）に示した如く、液晶パネル２２をこのパネル表示面２２ｈが露出するように内面２１ａに取り付けた液晶パネル支持ケース２１がカメラ筐体１１の側面１１ｃに沿って閉じているときには、前述したように、上側の第１ヒンジ軸４３に対して回動角度範囲を規制されて取り付けられたカム体４６の平坦な下面４６ａから突出した台形状凸部４６ｂの右側にスライダ４７の平坦な上面４７ａから突出した台形状凸部４７ｂが位置し、この台形状凸部４７ｂが圧縮バネ４８に押されてカム体４６の平坦な下面４６ａに当接している。
【００８４】
次に、図７（ｂ）に示した如く、撮影者が液晶パネル支持ケース２１を手動により開くと、液晶パネル支持ケース２１を第２ヒンジ軸６２を介して取り付けたコ字状ブラケット４５が上下一対の第１ヒンジ軸４３，４４を中心にして反時計方向（矢印Ｄ１方向）に回動し、これに伴なってコ字状ブラケット４５と一体にスライダ４７も上側の第１ヒンジ軸４３を中心にして回動するので、スライダ４７の台形状凸部４７ｂが圧縮バネ４８の付勢力に抗してカム体４６の台形状凸部４６ｂの右側傾斜面に沿いながらスライダ４７が第１ヒンジ軸４３に沿って下動する。
【００８５】
次に、図７（ｃ）に示した如く、液晶パネル支持ケース２１を図７（ｂ）の状態よりも更に開くと、スライダ４７の更なる回動に伴なってスライダ４７の台形状凸部４７ｂとカム体４６の台形状凸部４６ｂとが互に対向して当接する位置までスライダ４７が圧縮バネ４８の付勢力に抗して第１ヒンジ軸４３に沿って下動する。
【００８６】
次に、図７（ｄ）に示した如く、液晶パネル支持ケース２１を図７（ｃ）の状態よりも更に開くと、スライダ４７の台形状凸部４７ｂがカム体４６の台形状凸部４６ｂの左側に回り込み、且つ、圧縮バネ４８の付勢力によりスライダ４７の台形状凸部４７ｂがカム体４６の台形状凸部４６ｂの左側傾斜面に沿いながらスライダ４７が第１ヒンジ軸４３に沿って上動する。
【００８７】
この後、図７（ｅ）及び図８（ａ）〜（ｃ）に示した如く、液晶パネル支持ケース２１を図７（ｄ）の状態よりも更に開くと、スライダ４７の台形状凸部４７ｂが圧縮バネ４８の付勢力によりカム体４６の台形状凸部４６ｂの左側の下面４８ａに当接するので、液晶パネル支持ケース２１がカメラ筐体１１の側面１１ｃに対して略直交した位置まで開く。
【００８８】
即ち、図８（ａ）〜（ｃ）に示した如く、液晶パネル支持ケース２１がカメラ筐体１１の側面１１ｃに対して略直交した位置まで開くと、上述したように、上側の第１ヒンジ軸４３に対して回動角度範囲を規制されて取り付けられたカム体４６の台形状凸部４６ｂの左方の下面４８ａにスライダ４７の台形状凸部４７ｂが圧縮バネ４８の付勢力により当接しているので、カム体４６とスライダ４７と圧縮バネ４８とによる液晶パネル支持ケース開閉位置係止手段により、液晶パネル支持ケース２１が開いた状態で係止（ロック）される。
【００８９】
これに伴なって、液晶パネル支持ケース２１の内面２１に取り付けた液晶パネル２２のパネル表示面２２ｈがカメラ筐体１１の側面１１ｃに対して略直交して撮影者側を向く。
【００９０】
また、下側の第１ヒンジ軸４４に取り付けたドライブカム５１がコ字状ブラケット４５と一体に回動するので、このドライブカム５１の扇状カム５１ａが図５（ｃ）の状態から略９０°向きを変えてレンズカバー開き位置に至るために、この扇状カム５１ａが進入しているドライブレバー３２のカム溝３２ｅの向きも軸部３２ｂを中心として回動する。
【００９１】
ここで、図９（ａ），（ｂ）に示した如く、ドライブレバー３２のカム溝３２ｅ内に進入しているドライブカム５１の扇状カム５１ａがレンズカバー開き位置に至る動作に伴なってドライブレバー３２が軸部３２ｂを中心として回動すると、ドライブレバー３２にリンクアーム３１を介して係合した他方のレンズカバー１４に形成したピン１４ａが一方のレンズカバー１３に形成したガイド溝１３ａ内の下端側に移動するので、一対のレンズカバー１３，１４がネジリバネ３３（図３）の付勢力に抗して矢印ＬＣ１方向に回動する。
【００９２】
これにより、液晶パネル支持ケース２１が開き位置に至ってロックされているときに、一対のレンズカバー１３，１４が開かれて撮影レンズ１５が露出するので、液晶パネル２２を見ながらビデオカメラ１（図１）で被写体を撮影することができる。
【００９３】
この際、図８及び図９に示したように、第２ヒンジ軸６２を固着した液晶パネル支持ケース２１はコ字状ブラケット４５に対して第２ヒンジ軸６２を中心に反転していないので、第２ヒンジ軸６２に固着したアーム支持体６５も反転しない。これに伴なって、アーム支持体６５に軸支したアーム６６は上下動せず、このアーム６６に係合したストッパ５３はドライブカム５１の上方で待機している。
【００９４】
更に、図１０（ａ）〜（ｃ）に示した如く、液晶パネル支持ケース２１がカメラ筐体１１の側面１１ｃに対して略直交した位置まで開いた後に、液晶パネル支持ケース２１をコ字状ブラケット４５に対して第２ヒンジ軸６２をこの第２回動中心ＣＬ２まわりに１８０°回転して反転させると、液晶パネル２２のパネル表示面２２ｈがカメラ筐体１１の側面１１ｃに対して略直交したまま撮影者側とは反対側（撮像レンズ側）を向くと共に、第２ヒンジ軸６２に固着したアーム支持体６５も１８０°回転する。
【００９５】
これに伴なって、アーム支持体６５に一端側のピン６７を介して軸支したアーム６６は他端側のピン６８がコ字状ブラケット４５の側板４５ｅに形成した鉛直ガイド溝４５ｅ１に案内されて下動するので、このアーム６６に係合したストッパ５３は下側のヒンジ軸４４の第１回動中心ＣＬに沿ってドライブカム５１の下方に移動し、ストッパ５３の係止片５３ｂがドライブカム５１の係止溝５１ｂ内に進入するために、液晶パネル支持ケース２１の反転によってドライブカム５１の扇状カム５１ａがレンズカバー開き位置に係止（ロック）される。
【００９６】
これにより、液晶パネル支持ケース２１が反転した場合でも、ドライブカム５１の扇状カム５１ａの向きは先に図８及び図９を用いて説明した液晶パネル支持ケース２１が開いた状態のときと同じ状態になるので、一対のレンズカバー１３，１４が開いた状態を維持できる。
【００９７】
そして、液晶パネル支持ケース２１がカメラ筐体１１の側面１１ｃに対して略直交して開いた状態で、液晶パネル支持ケース２１を第２ヒンジ軸６２を中心にして反転させた後に、反転した液晶パネル支持ケース２１を第１ヒンジ軸４３，４４を介してカメラ筐体１１の側面１１ｃ側に向かって回動させてこの側面１１ｃ側に収納させる場合には、図１１（ａ）〜（ｅ）に示した動作が順に行なわれる。
【００９８】
即ち、図１１（ａ）に示した如く、液晶パネル支持ケース２１がカメラ筐体１１の側面１１ｃに対して略直交して開いた状態で、液晶パネル支持ケース２１をコ字状ブラケット４５に対して第２ヒンジ軸６２をこの第２回動中心ＣＬ２まわりに１８０°回転して反転させたときには、前述したように、上側の第１ヒンジ軸４３に回動角度範囲を規制されて取り付けられたカム体４６の平坦な下面４６ａから突出した台形状凸部４６ｂの左側にスライダ４７の平坦な上面４７ａから突出した台形状凸部４７ｂが位置し、この台形状凸部４７ｂが圧縮バネ４８に押されてカム体４６の平坦な下面４６ａに当接している。
【００９９】
次に、図１１（ｂ）に示した如く、撮影者が反転した液晶パネル支持ケース２１を手動により閉じると、反転した液晶パネル支持ケース２１を第２ヒンジ軸６２を介して取り付けたコ字状ブラケット４５が上下一対の第１ヒンジ軸４３，４４を中心にして時計方向（矢印Ｄ２方向）に回動し、これに伴なってコ字状ブラケット４５と一体にスライダ４７も上側の第１ヒンジ軸４３を中心にして回動するので、スライダ４７の台形状凸部４７ｂが圧縮バネ４８の付勢力に抗してカム体４６の台形状凸部４６ｂの左側傾斜面に沿いながらスライダ４７が第１ヒンジ軸４３に沿って下動する。
【０１００】
次に、図１１（ｃ）に示した如く、反転した液晶パネル支持ケース２１を図１１（ｂ）の状態よりも更に閉じると、スライダ４７の更なる回動に伴なってスライダ４７の台形状凸部４７ｂとカム体４６の台形状凸部４６ｂとが互に対向して当接する位置までスライダ４７が圧縮バネ４８の付勢力に抗して第１ヒンジ軸４３に沿って下動する。
【０１０１】
次に、図１１（ｄ）に示した如く、反転した液晶パネル支持ケース２１を図１１（ｃ）の状態よりも更に閉じると、スライダ４７の台形状凸部４７ｂがカム体４６の台形状凸部４６ｂの右側に回り込み、且つ、圧縮バネ４８の付勢力によりスライダ４７の台形状凸部４７ｂがカム体４６の台形状凸部４６ｂの右側傾斜面に沿いながらスライダ４７が第１ヒンジ軸４３に沿って上動する。
【０１０２】
この後、図１１（ｅ）及び図１２（ａ）〜（ｃ）に示した如く、反転した液晶パネル支持ケース２１を図１１（ｄ）の状態よりも更に閉じると、圧縮バネ４８の付勢力と後述するネジリバネ５２の付勢力との差分力によってスライダ４７の台形状凸部４７ｂがカム体４６の台形状凸部４６ｂの左側の下面４６ａに当接する寸前に至り、反転した液晶パネル支持ケース２１がカメラ筐体１１の側面１１ｃに対して所定の開き角度αだけ開いた状態で維持される。このとき、液晶パネル２２のパネル表示面２２ｈは外側を向いている。
【０１０３】
即ち、図１２（ａ）〜（ｃ）に示した如く、反転した液晶パネル支持ケース２１をカメラ筐体１１の側面１１ｃに対して所定の開き角度αだけ開いた状態で維持するメリットは以下の如くである。
【０１０４】
即ち、ビデオカメラ１（図１）の小型化が進み、カメラ筐体１１はより薄型化されることが望まれている。これにより、カメラ筐体１１の底面１１ｄ中で側面１１ｃと直交する方向の厚み寸法Ｔをより薄くすることが要求され、この場合、反転した液晶パネル支持ケース２１をカメラ筐体１１の側面１１ｃに密着させて液晶パネル２２のパネル表示面２２ｈに表示された映像を見る使用状態において、ビデオカメラ１（図１）を店頭や室内などで不図示のテーブル上に置いたときに、このビデオカメラ１が倒れ易くなるという課題が生じる。
【０１０５】
そこで、反転した液晶パネル支持ケース２１をカメラ筐体１１の側面１１ｃに対して所定の開き角度αだけ開いた状態で維持すれば、カメラ筐体１１の底面１１ｄと反転した液晶パネル支持ケース２１の底面（通常は上面）２１ｃとを含む設置面積が得られることになり、カメラ筐体１１の底面１１ｄ中で側面１１ｃと直交する方向の厚み寸法Ｔが仮想厚み寸法Ｔ’まで拡大されたものと等価になるために、ビデオカメラ１（図１）を店頭や室内などに設置した時にこのビデオカメラ１が倒れることがなくなる。
【０１０６】
これを実現するために、実施例の開閉装置３０では、圧縮バネ４８の付勢力を後述するネジリバネ５２の付勢力よりも大きくなるように設定し、且つ、両者の差分力によって、反転した液晶パネル支持ケース２１の所定の開き角度αが設定されるように構成している。
【０１０７】
この際、圧縮バネ４８は、スライダ４７をカム体４６に押し付けて、反転した液晶パネル支持ケース２１を閉じ方向に付勢する機能を有している。
【０１０８】
一方、コ字状ブラケット４５の下方でストッパ５３とドライブカム５１との間に設けたネジリバネ５２は、反転した液晶パネル支持ケース２１を閉じ方向とは反対側の開き方向に付勢する機能を有している。
【０１０９】
従って、圧縮バネ４８の付勢力によってスライダ４７の台形状凸部４７ｂをカム体４６の下面４６ａに当接させて、反転した液晶パネル支持ケース２１をカメラ筐体１１の側面１１ｃと略平行に閉じようとするが、このカム体４６を押圧する圧縮バネ４８の付勢力に対してネジリバネ５２の付勢力は反転した液晶パネル支持ケース２１を開き方向に戻すように作用することになる。
【０１１０】
この結果、圧縮バネ４８の付勢力とネジリバネ５２の付勢力との差分力がスライダ４７に付与されるために、スライダ４７の台形状凸部４７ｂはカム体４６の下面４６ａの右方に完全密着しないで下面４６ａとの間に隙間が生じ、この隙間量が反転した液晶パネル支持ケース２１の所定の開き角度αに対応することになる。
【０１１１】
従って、反転した液晶パネル支持ケース２１は、カメラ筐体１１の側面１１ｃに対して所定の開き角度αとなる位置で、圧縮バネ（第１のバネ部材）４８に基づく閉方向に付勢する力とネジリバネ（第２のバネ部材）５２に基づく開方向に付勢する力との釣り合いにより、維持されることになる。
【０１１２】
尚、反転した液晶パネル支持ケース２１が所定の開き角度αを有した状態で、反転した液晶パネル支持ケース２１を強制的にカメラ筐体１１の側面１１ｃと略平行に閉じる必要がある場合には、カメラ筐体１１と液晶パネル支持ケース２１との間に不図示の強制ロック機構及びロック解除機構を設ければ良いものである。
【０１１３】
そして、反転した液晶パネル支持ケース２１が所定の開き角度αを持ってカメラ筐体１１の側面１１ｃ側に維持された場合に、先に図１０を用いて説明したように、液晶パネル支持ケース２１の反転時にコ字状ブラケット４５の下方に設けたストッパ５３は下動してこのストッパ５３の係止片５３ｂがドライブカム５１の係止溝５１ｂ内に進入し、ドライブカム５１の回動が係止（ロック）されているので、ドライブカム５１の扇状カム５１ａの向きは先に図１０を用いて説明した液晶パネル支持ケース２１が反転した状態のときに対して所定の開き角度α分だけ異なっているが、この量は一対のレンズカバー１３，１４を開いた状態で維持できる範囲である。
【０１１４】
従って、反転した液晶パネル支持ケース２１をカメラ筐体１１の側面１１ｃに対して所定の開き角度αだけ開いた状態で維持した場合でも、図１３（ａ），（ｂ）に示したように、ドライブレバー３２のカム溝３２ｅ内に進入しているドライブカム５１の扇状カム５１ａがレンズカバー開き位置に係止されているために、ドライブレバー３２にリンクアーム３１を介して係合した他方のレンズカバー１４に形成したピン１４ａが一方のレンズカバー１３に形成したガイド溝１３ａ内の下端側に移動しているので、一対のレンズカバー１３，１４がネジリバネ３３（図３）の付勢力に抗して矢印ＬＣ１方向に回動して開いている状態に維持されている。
【０１１５】
これにより、撮影レンズ１５が露出するので、ビデオカメラ１（図１）を店頭や室内に設置したときに、ビデオカメラ１が倒れることなく、反転した液晶パネル２２のパネル表示面２２ｈに表示された映像を周囲の人に見せることができるので、展示効果を高めることができる。
【０１１６】
尚更に、カメラ筐体１１の底面１１ｄ中で側面１１ｃと直交する方向の厚み寸法Ｔが十分あり、店頭や室内に設置したビデオカメラ１（図１）に倒れの心配がない場合には、圧縮バネ４８の付勢力によってスライダ４７の台形状凸部４７ｂをカム体４６の下面４６ａに当接させ、且つ、カム体４６を押圧する圧縮バネ４８の付勢力に対してネジリバネ５２の付勢力によって反転した液晶パネル支持ケース２１を開き方向に戻す際に、当接されたスライダ４７の台形状凸部４７ｂとカム体４６の下面４６ａとの間に隙間を生じさせる方向の力が小さくなるように、且つ、ドライブカム５１を回転できる程度の回転力となるように、ネジリバネ５２の付勢力を設定することで、反転した液晶パネル支持ケース２１の所定の開き角度αを零にして、カメラ筐体１１の側面１１ｃと略平行に閉じることも可能であり、この場合でも一対のレンズカバー１３，１４は開いた状態で維持されている。
【図面の簡単な説明】
【０１１７】
【図１】本発明に係る開閉装置の実施例を適用したビデオカメラを示した外観図である。
【図２】本発明に係る開閉装置の実施例を適用したビデオカメラにおいて、液晶パネルの使用状態を説明するための斜視図であり、（ａ）は液晶パネル支持ケースに取り付けた液晶パネルをカメラ筐体の側面と対向させた不使用状態を示し、（ｂ）は液晶パネルを取り付けた液晶パネル支持ケースを上下一対の第１ヒンジ軸を中心に略９０°回動させてパネル表示面を撮影者側に向かせた使用状態を示し、（ｃ）は液晶パネル支持ケースを第２ヒンジ軸を中心に反転させてパネル表示面を外側に向けて露出させた使用状態を示した図である。
【図３】開閉装置の実施例を分解して示した分解斜視図である。
【図４】図３に示したコ字状ブラケット４５内に各部材を組みつけた状態を拡大して示した斜視図である。
【図５】（ａ），（ｂ），（ｃ）は本発明に係る開閉装置において、液晶パネル支持ケースがカメラ筐体の側面に沿うように折り畳まれて閉じている液晶パネル通常収納状態を示した左側面図，正面図．下面図である。
【図６】本発明に係る開閉装置において、液晶パネル通常収納状態時に一対のレンズカバーが閉じている状態を示した斜視図，正面図である。
【図７】（ａ）〜（ｅ）は本発明に係る開閉装置において、液晶パネル支持ケースを閉じた状態から開いた状態に回動させる動作を模式的に示した側面図及び下面図である。
【図８】（ａ），（ｂ），（ｃ）は本発明に係る開閉装置において、液晶パネル支持ケースがカメラ筐体の側面に対して略直交して開いた液晶パネル開蓋状態を示した左側面図，正面図．下面図である。
【図９】（ａ），（ｂ）は本発明に係る開閉装置において、液晶パネル開蓋状態時に一対のレンズカバーが開いている状態を示した斜視図，正面図である。
【図１０】（ａ），（ｂ），（ｃ）は本発明に係る開閉装置において、液晶パネル支持ケースがカメラ筐体の側面に対して略直交して開いた後に、液晶パネル支持ケースを反転させた液晶パネル反転状態を示した左側面図，正面図．下面図である。
【図１１】（ａ）〜（ｅ）は本発明に係る開閉装置において、液晶パネル支持ケースを反転した後にこの液晶パネル支持ケースをカメラ筐体の側面側に収納した状態に回動させる動作を模式的に示した側面図及び下面図である。
【図１２】（ａ），（ｂ），（ｃ）は本発明に係る開閉装置において、液晶パネル支持ケースを反転した後にこの液晶パネル支持ケースがカメラ筐体の側面側に対して所定の開き角度を持って維持された液晶パネル反転収納状態を示した左側面図，正面図．下面図である。
【図１３】（ａ），（ｂ）は本発明に係る開閉装置において、液晶パネル反転収納状態時に一対のレンズカバーが開いている状態を示した斜視図，正面図である。
【図１４】一般的なビデオカメラにおいて、液晶パネルの使用状態を説明するための斜視図であり、（ａ）は液晶パネル支持ケースに取り付けた液晶パネルをカメラ筐体の側面と対向させた不使用状態を示し、（ｂ）は液晶パネルを取り付けた液晶パネル支持ケースを上下一対の第１ヒンジ軸を中心に略９０°回動させてパネル表示面を撮影者側に向かせた使用状態を示し、（ｃ）は液晶パネル支持ケースを第２ヒンジ軸を中心に反転させてパネル表示面を外側に向けて露出させた使用状態を示した図である。
【符号の説明】
【０１１８】
１…ビデオカメラ、
１０…カメラ本体部、
１１…カメラ筐体、１１ａ…前面、１１ｂ…後面、１１ｃ…側面、１１ｄ…底面、
１１ｅ…天面、
１２…レンズ鏡筒、１２ａ…前面、１２ｂ…前面側凹部、１２ｃ…光通過孔、
１２ｄ…側面、１２ｅ…後面、１２ｆ…取付用ボス、
１３…レンズカバー、１３ａ…ガイド溝、１３ｂ…軸孔、
１４…レンズカバー、１４ａ…ピン、１４ｂ…軸孔、
１５…撮影レンズ、
１６…レンズホルダ、１６ａ…円筒枠、１６ｂ…レンズカバー支持軸、
１６ｃ…支持台、１６ｄ…取付孔、
１７…撮像素子、１８…記録再生部、１９…ビューファインダー部、
２０…液晶パネル部、
２１…液晶パネル支持ケース、２１ａ…内面、２１ｂ…端面（左側面）、２１ｃ…底面、
２２…液晶パネル、２２ｈ…パネル表示面、
３０…開閉装置、
３１…リンクアーム、３１ａ…丸孔、３１ｂ…丸孔、
３２…ドライブレバー、３２ａ…水平板、３２ｂ…軸部、３２ｃ…ネジリバネ掛止部、
３２ｄ…ピン、３２ｅ…カム溝、
３３…ネジリバネ、
４１…上側の第１ヒンジ軸支持ブラケット、４１ａ…丸孔、
４２…下側の第１ヒンジ軸支持ブラケット、４２ａ…丸孔、
４３…上側の第１ヒンジ軸、４３ａ…軸部、４３ｂ…回り止め部、
４４…下側の第１ヒンジ軸、４４ａ…軸部、
４５…コ字状ブラケット、４５ａ…天板、４５ａ１…丸孔、
４５ｂ…底板、４５ｂ１…丸孔、４５ｃ…側板、４５ｃ１…丸孔、
４５ｄ…側板、４５ｅ…側板、４５ｅ１…鉛直ガイド溝、４５ｅ２…ネジリバネ掛止部、
４５ｆ…圧縮バネ掛止板、
４６…カム体、４６ａ…下面、４６ｂ…台形状凸部、
４７…スライダ、４７ａ…上面、４７ｂ…台形状凸部、４８…圧縮バネ、
５１…ドライブカム、５１ａ…扇状カム、５１ｂ…係止溝、５１ｃ…ネジリバネ掛止部、
５２…ネジリバネ、５３…ストッパ、５３ａ…丸孔、５３ｂ…係止片、
６１…第２ヒンジ軸支持ブラケット、６２…第２ヒンジ軸、
６３…板バネ、６４…金属製カシメ体、
６５…アーム支持体、６６…アーム、６７…ピン、６８…ピン、
Ｋ…撮像レンズの光軸。
【図１】
2010019918.tif 000003
【図２】
2010019918.tif 000004
【図３】
2010019918.tif 000005
【図４】
2010019918.tif 000006
【図５】
2010019918.tif 000007
【図６】
2010019918.tif 000008
【図７】
2010019918.tif 000009
【図８】
2010019918.tif 000010
【図９】
2010019918.tif 000011
【図１０】
2010019918.tif 000012
【図１１】
2010019918.tif 000013
【図１２】
2010019918.tif 000014
【図１３】
2010019918.tif 000015
【図１４】
2010019918.tif 000016